(57)【特許請求の範囲】
【請求項１】
瓦本体の縁部で周囲が囲まれた凹陥部を前記瓦本体の上面に設け、この凹陥部に太陽電池モジュールを収容した太陽電池モジュール瓦において、
前記瓦本体の下側縁部に前記凹陥部と連通して前記下側縁部の外端面まで貫通する排水溝を１以上設け、
この排水溝を横切るとともに前記凹陥部の全周縁に沿って連続して前記太陽電池モジュールの全周縁を前記凹陥部に接着しシールするシーリング材を設け、
このシーリング材が前記排水溝を横切っている部分と前記排水溝の内面との間にトンネル状の通路を設けたことを特徴とする太陽電池モジュール瓦。
【請求項２】
ボックス収容凹部を有し、かつ、瓦本体の縁部で周囲が囲まれた凹陥部を前記瓦本体の上面に設け、前記ボックス収容凹部に収容される端子ボックスを裏面に有した太陽電池モジュールを前記凹陥部に収容した太陽電池モジュール瓦において、
前記瓦本体の下側縁部に前記凹陥部と連通して前記下側縁部の外端面まで貫通する排水溝を１以上設け、
この排水溝を横切るとともに前記凹陥部の全周縁に沿って連続して前記太陽電池モジュールの全周縁を前記凹陥部に接着しシールするシーリング材を設け、
このシーリング材が前記排水溝を横切っている部分と前記排水溝の内面との間にトンネル状の通路を設けたことを特徴とする太陽電池モジュール瓦。
【請求項３】
両端開口が夫々開放された前記通路形成用の筒を前記排水溝に嵌め込み、この筒上を前記シーリング材の一部が横切っていることを特徴とする請求項１又は２に記載の太陽電池モジュール瓦。
【請求項４】
前記ボックス収容凹部の周囲を連続して囲むとともに前記排水溝の通路に連通する環状の掘り溝を、前記凹陥部の周縁と前記ボックス収容凹部との間に設けたことを特徴とする請求項１〜３のうちのいずれか１項に記載の太陽電池モジュール瓦。
【請求項５】
前記請求項１〜４のうちのいずれか１項に記載の太陽電池モジュール瓦を用いて葺かれたことを特徴とする屋根。
【発明の詳細な説明】
【０００１】
【発明の属する技術分野】
本発明は、建物の屋根材として用いられる瓦に太陽電池モジュールを搭載した太陽電池モジュール瓦及びこの瓦で葺かれた屋根に関する。
【０００２】
【従来の技術】
太陽電池モジュール瓦の中には、瓦本体の上面に設けた凹陥部に太陽電池モジュールを収容するものがあり、このモジュールは凹陥部に対して接着剤やコーキング材、或いはこれらを併用して接着止めされている。
【０００３】
すなわち、特開平１１−１９９９号公報に記載のように、太陽電池モジュールを収容するために瓦本体に形成した凹陥部に、その各側縁の内側に連続した帯状の溝を形成し、この溝に塗布した弾性接着剤を介して太陽電池モジュールを接着するとともに、各側縁部において太陽電池モジュールの周縁との間に熱膨張吸収用の空隙部を形成して、前記接着剤の水密性により太陽電池モジュール裏面の空隙（凹陥部）内に雨水が浸入しないようにするものが提案されている。
【０００４】
しかし、このものは、太陽電池モジュールの全周縁を凹陥部の全周縁に接着して、雨水が浸入しないように構成したものであるが、前記緩衝材層の劣化等についての対策は何ら講じられていない。
【０００５】
ところで、屋根のように太陽光に晒されて高温度になったり、風雨に晒される使用環境では、長期間にわたる使用に伴い耐水性緩衝材層が劣化する恐れがある。そして、耐水性緩衝材層が劣化して亀裂を生じてしまったり、耐水性緩衝材層の取付け不良があると、太陽電池モジュールの裏側に浸入した雨水が、太陽電池モジュールの裏面に出力取出し用として設けられている端子ボックスに及ぶ恐れがあり、その改善が、長期にわたる使用上の信頼性を確保するために求められている。
【０００６】
又、以上のようにして凹陥部に浸入した雨水が端子ボックスに回り込んで、太陽電池モジュールに悪影響を及ぼすことは、その太陽電池モジュールの寿命、ひいては太陽電池モジュール瓦を用いて葺かれた屋根の寿命を低下させる因子の一つにもなるので、その改善が求められている。
【０００７】
【発明が解決しようとする課題】
本発明が解決しようとする課題は、太陽電池モジュールを収容した瓦本体の凹陥部に雨水が浸入しても、その雨水を速やかに排水でき長期間にわたる使用上の信頼性を向上できる太陽電池モジュール瓦、及び高品質な屋根を得ることにある。
【０００８】
【課題を解決するための手段】
請求項１に係る発明は、瓦本体の縁部で周囲が囲まれた凹陥部を前記瓦本体の上面に設け、この凹陥部に太陽電池モジュールを収容した太陽電池モジュール瓦を前提とする。
【０００９】
そして、前記課題を解決するために請求項１の発明は、前記瓦本体の下側縁部に前記凹陥部と連通して前記下側縁部の外端面まで貫通する排水溝を１以上設け、この排水溝を横切るとともに前記凹陥部の全周縁に沿って連続して前記太陽電池モジュールの全周縁を前記凹陥部に接着しシールするシーリング材を設け、このシーリング材が前記排水溝を横切っている部分と前記排水溝の内面との間にトンネル状の通路を設けたことを特徴とする。
【００１０】
この発明及び以下の各発明において、太陽電池モジュールには、その光電変換層が、単結晶、多結晶、微結晶等の結晶系半導体層、又はアモルファスシリコン等のアモルファス半導体層、或いは化合物系半導体層からなる太陽電池モジュールを使用できるとともに、前記各モジュールをタンデムにしたもの等も使用できる。又、この発明及び以下の各発明において、シーリング材には、接着性を有するシリコーン系又はウレタン系のシーリング材等を用いることができ、特に、使用開始後にも硬化せずに弾性を維持できる前記シーリング材を用いることは、瓦本体と太陽電池モジュールとの熱膨張差を吸収してシーリング性能を長期にわたり持続できる点で望ましい。
【００１１】
この請求項１の発明においては、瓦本体の下側縁部に設けた排水溝の部分で途切れることなく連続した環状をなして設けられたシーリング材が凹陥部の全周縁と太陽電池モジュールの全周縁との間をシールしているにも拘らず、前記排水溝とシーリング材の排水溝を横切っている部分との間にトンネル状の通路を形成しているので、シーリング材によって排水溝が塞がれることがない。そのため、シーリング材のシーリング性能の劣化や雨水の排水溝への吹込み等により凹陥部に雨水が浸入しても、その雨水を前記トンネル状の通路に通して凹陥部外に排出できる。
【００１２】
請求項２に係る発明は、ボックス収容凹部を有し、かつ、瓦本体の縁部で周囲が囲まれた凹陥部を前記瓦本体の上面に設け、前記ボックス収容凹部に収容される端子ボックスを裏面に有した太陽電池モジュールを前記凹陥部に収容した太陽電池モジュール瓦を前提とする。
【００１３】
そして、前記課題を解決するために請求項２の発明は、前記瓦本体の下側縁部に前記凹陥部と連通して前記下側縁部の外端面まで貫通する排水溝を１以上設け、この排水溝を横切るとともに前記凹陥部の全周縁に沿って連続して前記太陽電池モジュールの全周縁を前記凹陥部に接着しシールするシーリング材を設け、このシーリング材が前記排水溝を横切っている部分と前記排水溝の内面との間にトンネル状の通路を設けたことを特徴とする。
【００１４】
この請求項２の発明においては、瓦本体の下側縁部に設けた排水溝の部分で途切れることなく連続した環状をなして設けられたシーリング材が凹陥部の全周縁と裏面に端子ボックスを有した太陽電池モジュールの全周縁との間をシールしているにも拘らず、前記排水溝とシーリング材の排水溝を横切っている部分との間にトンネル状の通路を形成しているので、シーリング材によって排水溝が塞がれることがない。そのため、シーリング材のシーリング性能の劣化や雨水の排水溝への吹込み等によりボックス収容凹部を有した凹陥部に雨水が浸入しても、その雨水を前記トンネル状の通路に通して凹陥部外に排出できる。
【００１５】
請求項３に係る発明の太陽電池モジュール瓦は、両端開口が夫々開放された前記通路形成用の筒を前記排水溝に嵌め込み、この筒上を前記シーリング材の一部が横切っていることを特徴とする。この発明において筒には、プラスチック製又は金属製等で作られたものを用いることができ、特に、安価に入手が可能なストローのような薄肉なプラスチック製の筒を用いるとよく、その採用により発錆のおそれがないとともに前記通路の断面積を極力大きく確保できる点で望ましい。
【００１６】
この発明においては、排水溝に嵌め込んだ筒によって通路を確保するので、この通路がシーリング材によって塞がれることがなく、確実に排水できる。
【００１７】
請求項４に係る発明の太陽電池モジュール瓦は、前記ボックス収容凹部の周囲を連続して囲むとともに前記排水溝の通路に連通する環状の掘り溝を、前記凹陥部の周縁と前記ボックス収容凹部との間に設けたことを特徴とする。
【００１８】
この発明においては、シーリング材の性能劣化等に伴い凹陥部内に雨水が浸入しても、その雨水を環状の掘り溝によって排水溝の通路に速やかに導いて凹陥部外に排出できるから、浸入した雨水がボックス収容凹部内の端子ボックスに到達することを有効に防止できる。
【００１９】
請求項５に係る発明の屋根は、前記請求項１〜４のうちのいずれか１項の太陽電池モジュール瓦を用いて葺かれたことを特徴とする。
【００２０】
この発明によれば、既述のように瓦本体の凹陥部に浸入した雨水を、瓦本体の下側縁に設けた排水溝の通路を通して排水できる等の効果を有する請求項１〜４のうちのいずれか１項の太陽電池モジュール瓦を屋根材として用いたから、高品質な屋根を提供できる。
【００２１】
【発明の実施の形態】
以下、図１〜図７を参照しながら本発明の一実施形態を説明する。
【００２２】
図１中１は建物である。この建物１の屋根２は、棟軒方向に葺かれて縦横整列して設置された屋根葺き材として多数枚の太陽電池モジュール瓦３を備えている。なお、図２中４は屋根２の野地板であり、これは屋根２の棟側から軒側に向って下がり勾配に傾斜して設けられている。
【００２３】
各太陽電池モジュール瓦３は、夫々瓦本体５と、この上面に形成された凹陥部６に収容し接着止めされた太陽電池モジュール７とで形成されている。
【００２４】
図３、図５（Ａ）、及び図７等に示すように太陽電池モジュール７は、モジュール本体１１の裏面（なお、この反対面である正面は光入射面となっている。）において、その幅方向略中央部に端子ボックス１２を接着止めして形成されている。
【００２５】
モジュール本体１１は、ガラス製の透明基板と、この基板の裏面に形成されて互いに直列に接続され太陽光発電をする半導体層としての複数のアモルファスシリコン製のセルと、これらセル群を間に置いてその両側に配置されるとともにセル群に電気的に接続して設けられた正負電極としての一対のバスバー１３と、これらバスバー１３と端子ボックスと１２とを電気的に接続する一対の出力取出し線１４と、これら出力取出し線１４の大部分、前記セル、及びバスバー１３を封止して前記透明基板の裏側に被着された図示しない充填材と、この充填材に積層された図示しない保護シートとを備えて形成されている。端子ボックス１２の上辺側からは出力ケーブル１５（図２及び図５参照）が導出されている。
【００２６】
前記セル及びバスバー１３は屋根２の棟軒方向に延びて互いに平行に設けられている。バスバー１３に対し出力取出し線１４は直角に接続されてモジュール本体１１の幅方向に延びて設けられ、その先端はモジュール本体１１の裏側に折れ曲がって前記充填材及び保護シートを貫通して、端子ボックス１２内でその内部の端子金具（図示しない）に接続されている。一対のバスバー１３がある部分に対応してモジュール本体１１の裏面は他の裏面部分に比較して多少出っ張っている。
【００２７】
図３及び図４に示すように瓦本体５は、例えばセメント瓦によって略矩形平板状に形成されている。瓦本体５の幅方向両側部には、屋根２において左右の隣り合う瓦本体５と雌雄関係で嵌合する左右側縁部としてのオーバーラップ部５ａ、５ｂが設けられ、瓦本体５の上側縁部には後立上り部５ｃが設けられ、かつ、瓦本体５の下側縁部には下方に折れ曲がるように形成された前垂れ部５ｄが設けられている。
【００２８】
図２に示すように屋根２において上下方向（棟軒方向）に隣り合う瓦本体５のうち、上側の瓦本体５の前垂れ部５ｄは、下側の瓦本体５の後立上り部５ｃの上面に重なるようになっている。この瓦本体５は、前記野地板４に直接又は図示しないルーフィング等の瓦下地材を介して設置されるものであって、図３中１６は釘やねじ等の瓦取付け部品が通る固定孔を示している。
【００２９】
太陽電池モジュール瓦３を野地板４上に載置して屋根２を葺く作業をする場合には、通常の瓦葺き作業と同様に太陽電池モジュール瓦３を軒側から棟側に向って野地板４に載置し、固定孔１６に釘等を通して野地板４に固定するが、左右に隣合う瓦本体５相互は、瓦本体５のオーバーラップ部５ａ、５ｂを凹凸嵌合して重ね合わせるとともに、軒側の瓦本体５の後立上り部５ｃの上側に棟側の瓦本体５の前垂れ部５ｄを重ね合わせる。
【００３０】
こうした作業を繰返すことにより太陽電池モジュール瓦３によって屋根２を構成できる。そして、この瓦葺き作業と並行して端子ボックス１２から導出された出力ケーブル１５相互を、直列又は並列に接続して複数枚の太陽電池モジュール７を電気的に接続し、その接続により得た出力端を屋内に引込まれる図示しない引込みケーブル等に接続するようになっている。
【００３１】
瓦本体５の上面の大部分を占めて形成された矩形状の前記凹陥部６は、その周囲を瓦本体５の縁部、つまり、互いに連続する前記側縁部５ａ、５ｂ、後立上り部５ｃ、及び前垂れ部５ｄで囲まれている。この凹陥部６は太陽電池モジュール７の厚みより僅かに深く形成されている。瓦本体５の下側縁部には１以上、例えば左右一対の排水溝２０が形成されている。図３、図４、及び図６に示すように排水溝２０は、上面及び両端を開放した構成であって、かつ、凹陥部６に連通し、瓦本体５の下側縁部の外端面に貫通しており、その底面は凹陥部６の底面に連なっている。
【００３２】
排水溝２０にはプラスチック製のストローを適当長さに切断して得た薄肉の筒２１が嵌め込まれている。この筒２１の内空部は、凹陥部６の内外に通じる通路２１ａとして使用されるようになっている。このような排水溝２０を設けたことにより、凹陥部６に雨水が浸入することがあっても、その雨水を、排水溝２０の通路２１ａを通って瓦本体５の下側縁部の外端面から下側の太陽電池モジュール瓦３上に排水できる。
【００３３】
凹陥部６には、太陽電池モジュール７を固定するとともに端子ボックス１２等への防水対策として図３〜図５、及び図７に示す構成が以下の通り設けられている。なお、これらの構成は後述の掘り溝を除いて省略することもできる。
【００３４】
凹陥部６には、その周縁のうち上縁部及び上部両側縁に沿って連続する上部筋状溝２２と、前記周縁の下縁部及び下部両側縁に沿って連続する下部筋状溝２３とが互いに上下方向に離れて形成されている。下部筋状溝２３のうち前記下側縁部に沿う部分は、排水溝２０が横切る２箇所で分断され非連続になっている。
【００３５】
上部筋状溝２２で３方向から囲まれた上部内側部分６ａと下部筋状溝２３で３方向から囲まれた下部内側部分６ｂとの間には段差凹部２４が形成されている。段差凹部２４は凹陥部６の幅方向に延びて設けられており、その底面は、上部筋状溝２２における凹陥部６の両側縁６ｃに沿う溝部分２２ａの底面に面一に連続しているとともに、下部筋状溝２３における凹陥部６の両側縁６ｃに沿う溝部分２３ａの底面に対しても面一に連続している。この段差凹部２４には、凹陥部６に収容された太陽電池モジュール７の出力取出し線１４による出っ張り部分が収まるようになっている。
【００３６】
凹陥部６の幅方向中央部には上下方向に延びるボックス収容凹部２５が、上下内側部分６a、６ｂに跨って設けられており、この収容凹部２５により段差凹部２４は左右に二分されている。ボックス収容凹部２５は凹陥部６の中で最も低く、その棟側の上部は上部筋状溝２２で囲まれる部分、言い換えれば、上部内側部分６ａに位置されていて、この上部の底壁には電線通孔２６が開けられている。ボックス収容凹部２５には、凹陥部６に配置された太陽電池モジュール７の端子ボックス１２が収容され、このボックス１２から上向き（棟側）に導出された出力ケーブル１５は電線通孔２６を通って引出される。
【００３７】
凹陥部６には、その周縁とボックス収容凹部２５との間に位置してボックス収容凹部２５の周囲を連続して囲む環状の掘り溝２７が、段差凹部２４を横断し上下内側部分６ａ、６ｂにわたって形成され、この堀り溝２７の下側溝部分（軒側溝部分）は前記一対の排水溝２０に夫々連通されている。更に、凹陥部６には、掘り溝２７の内側に位置されるとともにボックス収容凹部２５の近傍においてこの凹部２５の周囲を連続して囲む環状溝２８が形成されている。
【００３８】
この環状溝２８の上溝部は掘り溝２７の上溝部中央部分と共用されているとともに、これらは仕切り２９により仕切られている。この仕切り２９を設けることは、排水溝２０を通って掘り溝２７に雨水が吹き込まれた場合にも、この雨水がボックス収容凹部２５近傍の環状溝２８に回り込んで、結果的にボックス収容凹部２５内に到達することを防止できる点で有効である。
【００３９】
凹陥部６には、その両側縁６ｃとボックス収容凹部２５との間であって、かつ、掘り溝２７で囲まれる凹陥部６の内側部分に位置して夫々１以上例えば二つの接着溝３０が形成されている。これらの接着溝３０は、いずれも前記上部内側部分６あと段差凹部２４とにわたって上下方向（棟軒方向）に延びて形成されている。
【００４０】
前記構成の凹陥部６に対して太陽電池モジュール７は次のように収容し固定されている。すなわち、上下両筋状溝２２、２３及びこれらの溝部分２２a、２３ａと連続した段差凹部２４の両端部にわたるとともに、排水溝２０を夫々横断してシーリング材３１が、排水溝２０において途切れることなく連続して環状に充填されている。言い換えれば、シーリング材３１は凹陥部６の全周縁に沿って途切れることなく連続して充填されている。このシーリング材３１は、凹陥部６に収容された太陽電池モジュール７の全周縁部裏面を接着しているとともに、排水溝２０の内面とこれに嵌め込まれた筒２１の外面との間を埋めて、この筒２１を接着している。
【００４１】
シーリング材３１には硬化後も弾性を保持するシリコーン系シーリング材が使用されている。中でも、瓦本体５の表面及び太陽電池モジュール７の表面への汚染性の問題がないシリコーン含有ポリイソブチレン系シーリング材が好適に使用される。なお、前記筒２１の設置は次のように行う。まず、排水溝２０より長い筒２１を用意して、その一端部が掘り溝２７の軒側溝部分に位置されるように、この筒２１を排水溝２０に嵌め込む。この嵌め込み状態では、図６（Ａ）中２点鎖線で示すように筒２０の他端部は排水溝２０より突出している。次に、自動機械又は人手により凹陥部６の全周縁に沿ってシーリング材３１を塗布する。この場合、シーリング材３１の幅は前記筋状溝２２、２３に対応したものであるため、このシーリング材３１は排水溝２０の開放された上面の一部を横切るようになる。最後に、後述の接着剤の塗布後に凹陥部６に太陽電池モジュール７を収容した状態で、シーリング材３１がその形状を保持するのを待って、或は待たずして、前記２点鎖線で示した部分をカッターで切除する。すなわち、以上の手順により排水溝２０に対して筒２１を装着する。
【００４２】
そして、既述のようにシーリング材３１を途切れることなく連続して環状に塗布できるから、排水溝２０の部分でシーリング材３１の塗布作業を中断する手間が不要である。したがって、シーリング材３１を短時間で間違いなく塗布でき、その塗布作業性がよい。
【００４３】
又、前記各接着溝３０の夫々には接着剤３２が充填されて、これらの接着剤３２によって凹陥部６に収容された太陽電池モジュール７の裏面複数箇所を接着している。接着剤３２の接着性能はシーリング材３１よりも強く、この接着剤３２には使用開始後の接着状態で硬化するものでも良いが、本実施形態では使用開始後の接着状態で弾性を保持するエポキシ系接着剤が使用されている。
【００４４】
以上のようにシーリング材３１と接着剤３２とを併用することにより、凹陥部６に収容して接着された太陽電池モジュール７を、強固にかつ安定して状態に保持できる。
【００４５】
しかも、これらシーリング材３１及び接着剤３２による接着において、太陽電池モジュール７の出力取出し線１４を覆い隠して多少出っ張っている裏面部を凹陥部６の段差凹部２４に収容したから、前記出っ張りを支点として太陽電池モジュール７が多少傾いた姿勢となることがなく、太陽電池モジュール７はその平坦な裏面を上下内側部分６ａ、６ｂの平坦面に夫々接触させて、この太陽電池モジュール７を適正な姿勢に支持して凹陥部６に収容し接着できる。そのため、シーリング材３１及び接着剤３２に対する接触度合いが各部均一になり易く、よって、凹陥部６の全周縁でのシーリング材３１による所期のシール性能及び接着性を発揮させることができるとともに、太陽電池モジュール７の裏面での接着剤３２による所期の接着性を発揮させることができる。
【００４６】
前記構成の太陽電池モジュール瓦３によれば、通常は太陽電池モジュール７の四周裏面側全体にわたり途切れることなく連続して環状に設けたシーリング材３１のシーリング作用により、瓦本体５の凹陥部６に雨水が浸入することはない。
【００４７】
しかし、シーリング作業の不備やシーリング材３１が劣化した場合には、凹陥部６に雨水が浸入することが考えられる。しかし、このような事態に至っても、凹陥部６内の雨水を、排水溝２０に以下のように通して瓦本体５の下側縁部の外端面から軒方向に排出できる。
【００４８】
この場合、排水溝２０が瓦本体５を厚み方向に貫通することなく瓦本体５の下側縁部の外端面と凹陥部６とを連通して設けられているから、棟軒方向に隣接し上下に重なっている瓦本体５相互間に塵埃が詰まっても、その部分より上側に位置している排水溝２０の通路２１ａを通して円滑に排水できる。
【００４９】
しかも、既述のように排水溝２０の部分で途切れることなく連続した環状をなして設けられたシーリング材３１により、凹陥部６の全周縁と太陽電池モジュール７の全周縁との間をシールしているので、排水溝２０はシーリング材３１の軒側部分に対して交差する位置関係となっている。それにも拘らず、排水溝２０に筒２１を嵌め込んだことにより、シーリング材３１の排水溝２０を横切っている横断部分３１ａとの間には、シーリング材３１によって塞がれることがないトンネル状の通路２１ａが筒２１によって確保されている。
【００５０】
そのため、既述のようにシーリング材３１のシーリング性能の劣化や雨水の排水溝２０への吹込み等により凹陥部６に雨水が浸入しても、その雨水をトンネル状の通路２１ａに通して凹陥部６外に確実に排出できる。したがって、このような排水性能により、凹陥部６に浸入した雨水が端子ボックス１２方向に回り込むことを防止できる。
【００５１】
その上、この排水において、凹陥部６内にはボックス収容凹部２５の周囲を連続して取り囲んでいる掘り溝２７があって、この溝２７は夫々の排水溝２０に連通しているから、凹陥部６に浸入して端子ボックス１２方向に移動しようとする雨水を、掘り溝２７で捕らえて、屋根２の傾斜方向に沿って速やかに下方に導くことができるから、こうして掘り溝２７を流下する雨水を排水溝２０から凹陥部６外に容易に排水できる。この点においても、凹陥部６に浸入した雨水が端子ボックス１２方向に回り込むことを防止できる。
【００５２】
更に、凹陥部６に対して太陽電池モジュール７を主として接着止めしている接着剤３２は、凹陥部６の両側縁６ｃとボックス収容凹部２５との間に上下方向に延びて例えば直線状に配置されているから、これらの接着剤３２を防水堤として利用できる。そのため、凹陥部６の両側縁６ｃ等から浸入した雨水がボックス収容凹部２５に到達することを防止できる。この点においても、凹陥部６に浸入した雨水が端子ボックス１２方向に回り込むことを防止できる。
【００５３】
しかも、各接着剤３２は掘り溝２７が囲んだ内側部分に設けられているので、既述の掘り溝２７による排水溝２０への速やかな雨水導出作用によって、各接着溝３０内の接着剤３２が浸入した雨水に晒されないようにできる。そのため、これら接着剤３２の劣化が抑制され、長期間にわたって安定した接着性能を持続できる。
【００５４】
したがって、以上説明した各部での防水作用と排水溝２０からの排水作用によって、凹陥部６に浸入した雨水が端子ボックス１２方向に回り込むことを防止でき、それに伴い端子ボックス１２での電気的短絡や漏電の恐れ等を防止できる。
【００５５】
なお、本発明においてシーリング材３１の排水溝横断部分３１ａと排水溝２０との間にトンネル状の通路２１ａを形成するには、前記筒２１を排水溝２０内に残置することに代えて、次の方法を採用してもよい。すなわち、まず、排水溝２０より長い筒又は軸からなるスペーサ軸を用意して、この軸の一端部外周にゲル化してゼリー状をなす油を塗って、その部分を排水溝２０に嵌め込んでから、凹陥部６の全周縁に沿うシーリング材３１の塗布を自動機械又は人手により行い、この後、凹陥部６に太陽電池モジュール７を収容した状態で、シーリング材３１がその形状を保持するのを待って、前記スペーサ軸を引抜くことにより、この軸の形状に相応したトンネル状の通路２１ａを、シーリング材３１の排水溝横断部分３１ａと排水溝２０との間に形成できる。
【００５６】
【発明の効果】
請求項１の発明によれば、瓦本体の下側縁部に設けた排水溝がシーリング材によって塞がれることがないため、凹陥部に雨水が浸入しても、その雨水を排水溝とシーリング材との間のトンネル状の通路に通して凹陥部外に排出でき、したがって、凹陥部に浸入した雨水による悪影響を抑制でき、長期間にわたる使用上の信頼性が高い太陽電池モジュール瓦を提供できる。
【００５７】
請求項２の発明によれば、瓦本体の下側縁部に設けた排水溝がシーリング材によって塞がれることがないため、凹陥部に雨水が浸入しても、その雨水を排水溝とシーリング材との間のトンネル状の通路に通して凹陥部外に排出でき、したがって、凹陥部に浸入した雨水による端子ボックスへの悪影響を抑制でき、長期間にわたる使用上の信頼性が高い太陽電池モジュール瓦を提供できる。
【００５８】
請求項３の発明によれば、排水溝に嵌め込んだ筒によってトンネル状の通路を確保するので、シーリング材によって排水溝の通路が塞がれることがなくなり、よって、請求項１又は２の発明の効果を確実に得ることが可能な太陽電池モジュール瓦を提供できる。
【００５９】
請求項４の発明によれば、請求項１〜３のうちのいずれかの発明の効果に加えて、トンネル状の通路に連通して凹陥部内に設けた環状の掘り溝により、凹陥部の周縁から浸入した雨水を速やかに排水溝から排出できるので、長期にわたる使用上の信頼性が高い太陽電池モジュール瓦を提供できる。
【００６０】
請求項５の発明によれば、既述のように凹陥部に浸入した雨水を、瓦本体の下側縁に設けた排水溝の通路を通して排水できる請求項１〜４のうちのいずれか１項の太陽電池モジュール瓦を屋根材として用いたから、高品質な屋根を提供できる。
【図面の簡単な説明】
【図１】本発明の一実施形態に係る太陽電池モジュール瓦で葺かれた屋根を備えた建物を概略的に示す斜視図。
【図２】図１の建物の屋根の一部を示す断面図。
【図３】一実施形態に係る太陽電池モジュール瓦を分解して示す斜視図。
【図４】（Ａ）は一実施形態に係る太陽電池モジュール瓦が備える瓦本体を示す平面図。
（Ｂ）は図４（Ａ）中矢印Ｚ方向から見た瓦本体の正面図。
【図５】（Ａ）は図４（Ａ）中Ｙ−Ｙ線を通る部分で一実施形態に係る太陽電池モジュール瓦を断面して示す断面図。
（Ｂ）は図５（Ａ）中Ｘ部を拡大して示す断面図。
【図６】（Ａ）は一実施形態に係る太陽電池モジュール瓦の排水溝部分を拡大して示す断面図。
（Ｂ）は同排水溝部分を太陽電池モジュールが装着される前の状態において示す正面図。
（Ｃ）は同排水溝部分を太陽電池モジュールが装着される前の状態において示す平面図。
【図７】図４（Ａ）中Ｖ−Ｖ線を通る部分で一実施形態に係る太陽電池モジュール瓦を断面して示す断面図。
【符号の説明】
２…屋根
３…太陽電池モジュール瓦
５…瓦本体
５ａ、５ｂ…オーバーラップ部（瓦本体の側縁部）
５ｃ…後立ち上がり部（瓦本体の上縁部）
５ｄ…前垂れ部（瓦本体の下縁部）
６…凹陥部
７…太陽電池モジュール
１１…モジュール本体
１２…端子ボックス
２０…排水溝
２１…筒
２１ａ…通路
２５…ボックス収容凹部
２７…掘り溝
３１…シーリング材
３１ａ…シーリング材の排水溝横断部分
【図１】
0003905673.tif 000002
【図２】
0003905673.tif 000003
【図３】
0003905673.tif 000004
【図４】
0003905673.tif 000005
【図５】
0003905673.tif 000006
【図６】
0003905673.tif 000007
【図７】
0003905673.tif 000008